(57)【要約】【課題】  全身浴時に使用するアームレスト部と、半身浴用の腰掛け部とを備えている浴槽において、アームレスト部とフランジ状部との接続箇所の排水性を良くしてこの箇所が汚れ難くなるよう、また掃除が容易になるようにすると共に、ゆったりとした気分で心地良く入浴できるようにし、更には節水効果も得られるようにする。【解決手段】  半身浴用の腰掛け部１と、この腰掛け部１の前方の底の深い全身浴用の深底部２とを備える。深底部２の両側壁２ｂの内側に、全身浴時に入浴者が腕を置くためのアームレスト部３を、腰掛け部１の側に向かって徐々に上り傾斜状に形成する。また周壁４の上部を外側に曲げてフランジ状部４ａに形成する。上記のアームレスト部３の上端３ａを、上記の腰掛け部１の横のフランジ状部４ａに滑らかに接続する。【選択図】      図１
2011045463.tif 000002
【特許請求の範囲】
【請求項１】
半身浴用の腰掛け部と、この腰掛け部の前方の底の深い全身浴用の深底部とを備え、腰掛け部の背凭れ壁と対向する深底部の背凭れ壁の両側から腰掛け部の側に向かって延びる深底部の両側壁の内側に、全身浴時に入浴者が腕を置くためのアームレスト部が上記の腰掛け部の側に向かって徐々に上り傾斜状に形成され、また周壁の上部が外側に曲げられてフランジ状部に形成されている浴槽であって、上記のアームレスト部の上端が、上記の腰掛け部の横のフランジ状部に滑らかに接続されていることを特徴とする浴槽。
【請求項２】
請求項１記載の浴槽であって、アームレスト部の上端が、腰掛け部と深底部の境に略対応して位置決めされていることを特徴とする浴槽。
【請求項３】
請求項２記載の浴槽であって、腰掛け部に対応する位置のフランジ状部に、肘置き部が平坦状に形成されていることを特徴とする浴槽。
【請求項４】
請求項１乃至３の何れかに記載の浴槽であって、アームレスト部とフランジ状部の上面が、浴槽内に向かって下り勾配に形成されていることを特徴とする浴槽。
【発明の詳細な説明】
【技術分野】
【０００１】
本発明は、浴槽に関し、更に詳しくは全身浴時に腕を載せるのに使用するアームレスト部と、半身浴用の腰掛け部とを備えて形成されている浴槽に関するものである。
【背景技術】
【０００２】
従来この種の浴槽としては、例えば特許文献１に記載されているものがある。
この従来品は、底が深い全身浴用の深底部の両側壁の内側に、アームレスト部が腰掛け部の側に向かって徐々に上り傾斜状に形成されると共に、このアームレスト部の先端が延ばされて腰掛け部の周りのフランジ状部に、フランジ状部より一段低い状態で腰掛け部を囲繞するよう形成されている。
【０００３】
従ってこの従来品の場合は、腰掛け部の周りのフランジ状部に段差ができるため、この段差箇所に汚れが付き易く、掃除がし難い、という問題点があった。
またこの従来品によると、上記の段差に腕や肘が当たるため、快適に入浴できない、という不利益があった。
またこの従来品では、アームレスト部が、上記の通り、フランジ状部に一段低い状態で長く形成されているため、これによると、その分、湯の収納量が増加し、不経済になり易いものであった。
【先行技術文献】
【特許文献】
【０００４】
【特許文献１】特開２００６−１３０１３５号公報
【発明の概要】
【発明が解決しようとする課題】
【０００５】
本発明は、このような従来品の問題点に鑑み、提案されたものである。
従って本発明の解決しようとする技術的課題は、全身浴時に使用するアームレスト部と、半身浴用の腰掛け部とを備えている浴槽において、アームレスト部とフランジ状部との接続箇所の排水性を良くしてこの箇所が汚れ難くなるよう、また掃除が容易になるように形成すると共に、ゆったりとした気分で心地良く入浴できるようにし、更には節水効果も得られるよう形成した浴槽を提供することにある。
【課題を解決するための手段】
【０００６】
本発明は、上記の課題を解決するため、次のような技術的手段を採る。
即ち本発明は、図１等に示されるように、半身浴用の腰掛け部１と、この腰掛け部１の前方の底の深い全身浴用の深底部２とを備え、腰掛け部１の背凭れ壁１ａと対向する深底部２の背凭れ壁２ａの両側から腰掛け部１の側に向かって延びる深底部２の両側壁２ｂの内側に、全身浴時に入浴者が腕を置くためのアームレスト部３が上記の腰掛け部１の側に向かって徐々に上り傾斜状に形成され、また周壁４の上部が外側に曲げられてフランジ状部４ａに形成されている浴槽であって、上記のアームレスト部３の上端３ａが、上記の腰掛け部１の横のフランジ状部４ａに滑らかに接続されていることを特徴とする（請求項１）。
【０００７】
ここで、腰掛け部１の横のフランジ状部４ａとは、腰掛け部１及び深底部２の側方上部のフランジ状部４ａのことを意味する。従って、腰掛け部１の横のフランジ状部４ａは、腰掛け部１に対応する位置（腰掛け部１の前後方向の範囲）のフランジ状部４ａの箇所に限定されるものではなく、深底部２に対応する位置のフランジ状部４ａも含まれる。なお、背凭れ壁１ａ、２ａは、入浴者が、半身浴時、全身浴時に背中を当てて凭れた姿勢で入浴するのに使用する箇所である。本発明の浴槽は、通常、平面視で長方形等の矩形に形成されるが、外形状は自由である。
【０００８】
而して本発明は、アームレスト部３の上端３ａが、腰掛け部１と深底部２の境に略対応して位置決めされているのが好ましい（請求項２）。
なぜならこれによると、半身浴時に肘を置くためのスペースを、腰掛け部１の側方のフランジ状部４ａに充分確保できるだけではなく、半身浴時に肘から先の腕部分をアームレスト部３に載せ易くなるからである。ここで、略対応とは、上記の効果を得られる範囲であれば、多少位置ずれしているのでも良い、ということを意味する。
【０００９】
またこの場合、本発明は、図１等に示されるように、腰掛け部１に対応する位置のフランジ状部４ａに、肘置き部５が平坦状に形成されているのが好ましい（請求項３）。
なぜならこれによると、肘置き部５に肘を置いて快適に半身浴できるからである。またこの場合は、肘置き部５が平坦状であるから、掃除が容易になり、また浴槽に蓋をしたとき隙間が発生することを防止できるからである。
【００１０】
また本発明は、図２に矢示するように、アームレスト部３とフランジ状部４ａの上面が、浴槽内に向かって下り勾配に形成されているのが好ましい（請求項４）。
なぜならこれによると、アームレスト部３やフランジ状部４ａの上面に付着する湯水を浴槽内に導いて排水でき、これらの箇所が水垢等で汚れることを防止できるからである。
【発明の効果】
【００１１】
本発明は、このようにアームレスト部の上端を、腰掛け部の横のフランジ状部に滑らかに接続しているものである。
従って本発明の場合は、アームレスト部とフランジ状部との接続箇所に段差がないため、これによると、上記の接続箇所の排水性が良くなり、この箇所に水垢等が付き難くなり、掃除が容易になるものである。
また本発明品は、上記の通り、フランジ状部に段差がないため、これによれば、腕や肘が段差にあたることを防止でき、ゆったりとした気分で快適に入浴でき、また節水効果も得られるものである。
【図面の簡単な説明】
【００１２】
【図１】本発明の浴槽の好適な一実施形態を示す斜視図である。
【図２】同上浴槽の平面図である。
【図３】同上浴槽の側面図である。
【発明を実施するための形態】
【００１３】
以下、本発明を実施するための好適な一実施形態を説明する。
本発明は、図１等に示されるように、半身浴用の腰掛け部１と、この腰掛け部１の前方の底の深い全身浴用の深底部２とを備え、この実施形態では平面視で長方形の矩形に形成されている。
【００１４】
３は、全身浴時に入浴者が腕を置くためのアームレスト部である。このアームレスト部３は、腰掛け部１の背凭れ壁１ａと対向する深底部２の背凭れ壁２ａの両側から腰掛け部１の側に向かって延びる深底部２の両側壁２ｂの内側に、上記の腰掛け部１の側に向かって徐々に上り傾斜状に形成され、幅は、７０〜８０ｍｍに選定されるのが良い。この７０〜８０ｍｍという幅は、大人が安定して腕を載せるのに十分な値であり、節水浴槽として全身浴用の深底部２の幅が狭くなりすぎない幅でもある。本発明においては、幅を約７６ｍｍに選定したことにより、入浴時の快適性を維持しつつ、腰掛け部１を備えた従来の浴槽に比べ、約１５％の節水効果を得られた。
また本発明の場合、周壁４の上部は外側に曲げられてフランジ状部４ａに形成されている。このフランジ状部４ａは、周壁４の全周に形成されている。
【００１５】
而して本発明の場合、上記のアームレスト部３の上端３ａは、上記の腰掛け部１の横のフランジ状部４ａに滑らかに接続されている。この実施形態の場合、アームレスト部３の上端３ａは、図１等に示されるように、腰掛け部１と深底部２の境に略対応して位置決めされている。
【００１６】
またこの実施形態の本発明品は、腰掛け部１に対応する位置のフランジ状部４ａに、肘置き部５が平坦状に形成されている。この肘置き部５は、フランジ状部４ａの一部であり、肘置き部５とフランジ状部４ａとは、面一状に形成されている。なお、肘置き部５が形成されている箇所のフランジ状部４ａの幅は、アームレスト部３の幅との関係で、１００〜１２０ｍｍに選定されるのが良い。
【００１７】
またこの実施形態では、アームレスト部３とフランジ状部４ａの上面が、浴槽内に向かって下り勾配に形成されている（図２の矢示参照）。また腰掛け部１の上面は、腰掛け部１の背凭れ壁１ａの側に向かって下り勾配に形成されている。
【００１８】
また本発明の場合、腰掛け部１の上面の周りには、腰掛け部１の両側の前端６ａから排水を深底部２に流すための溝６が形成されている。この溝６は、深底部２の側に向かって下り勾配に形成されている。
なお、深底部２の底面には、排水口７が形成されている。
【００１９】
本発明品は、このようにアームレスト部３の上端３ａが、フランジ状部４ａに滑らかに、即ち、段差がない状態で接続されている。従ってこれによると、水垢や湯垢がアームレスト部３とフランジ状部４ａとの接続箇所に付き難くなり、またこの箇所の掃除が容易になる。
【００２０】
また入浴者は、全身浴時に腕をアームレスト部３に載せて入浴できるだけではなく、アームレスト部３とフランジ状部４ａとの接続箇所に段差がないため、腕等をフランジ状部４ａ等に密着させてゆったりとした気分で快適に入浴できる。
なお、アームレスト部３とフランジ状部４ａの上面の湯水は、浴槽内に流れ込み、排水口７から排水される。
【符号の説明】
【００２１】
１      腰掛け部
１ａ    背凭れ壁
２      深底部
２ａ    背凭れ壁
２ｂ    両側壁
３      アームレスト部
３ａ    上端
４      周壁
４ａ    フランジ状部
【図１】
2011045463.tif 000003
【図２】
2011045463.tif 000004
【図３】
2011045463.tif 000005